(57)【要約】  【課題】  遊技者等に対してゲームのアピール性が非常に良く、更にパチンコ機ゲームのみならず遊技者自身が情報を選択入手してニュース等や景品情報なども得られ遊技者が飽きず、初心者であってもゲームの補助が行なわれるので安心してゲームが行なえるパチンコ機を提供する。  【解決手段】  パチンコ機の前面扉に電光表示器３１を設け、遊技情報等の各種情報を遊技者の押し釦３２操作による選択で各種情報が入手出来るパチンコ機１で、また店舗側からの伝達手段としても利用可能なものである。  また本発明は、前面扉１０前面の窓枠体２１を外側から内側が透けて見える樹脂材料で形成し、該窓枠体２１の裏面に電光表示器３１を装着したため、電光表示器の安全が図られる。  【選択図】    図１ 
2005058444.tif 000002
【特許請求の範囲】
【請求項１】
パチンコ機遊技盤の前面に中央部はガラス板を通して遊技盤を見る窓に設け、該窓の周囲はパチンコ機の前面を形成する開閉可能な前面扉を持つパチンコ機において、
前記パチンコ機の前面扉に電光表示器を設け、遊技情報等の各種情報を遊技者に伝達表示することを特徴とするパチンコ機。
【請求項２】
前記前面扉の前面に外側から内側が透けて見える樹脂材料で形成した窓枠体を設け、該窓枠体の裏面に電光表示器を装着したことを特徴とする請求項１記載のパチンコ機。
【請求項３】
前記パチンコ機に前記電光表示器の表示情報を切り替える押し釦を設け、遊技者の押し釦操作によって電光表示器の表示情報が選択できるようにしたことを特徴とする請求項１乃至２記載のパチンコ機。
【請求項４】
前記前面扉の前面に外側から内側が透けて見える樹脂材料の窓枠体を形成し、該窓枠体の裏面に電光表示器を装着すると共に、該窓枠体の裏面に図柄意匠を描いた図柄意匠シートを装着し、前面扉の前面から前記窓枠体裏面の電光表示器と図柄意匠シートが視認可能に設けたことを特徴とするパチンコ機。
【発明の詳細な説明】
【技術分野】
【０００１】
本発明は、遊技盤の遊技領域に遊技球を発射して遊技領域にある入賞口へ入賞することによって所定の賞球払出しが行われるパチンコ機に関し、詳しくはパチンコ機遊技盤の前面に各種の情報を表示する電光表示器を設け、電光表示による装飾性と、また遊技者に各種の情報を伝達し、更にゲームに対する興趣を高め、安心してゲームが行なえるようにしたパチンコ機に関する。
【背景技術】
【０００２】
パチンコ機前面中央部の遊技盤には、遊技球が流下する遊技領域が設けられており、遊技領域の前方には２枚のガラス板が配置されている。この２枚のガラス板はガラス枠体によって支持されており、ガラス枠体はその前面の窓枠体と一体に組付けられて前面扉を形成し、遊技盤に対して開閉自在に設けられている。遊技者が注視する中央部の遊技盤については、通常ベニヤ板に所望の図柄、模様を画き出したセル板を貼着し、各種盤面部品が装着されている。
【０００３】
従来技術としてこの遊技盤に描かれた所望の図柄・模様を、２枚のガラス板を通して視る視覚的なインパクトを大きくするため、２枚のガラス板の間に、遊技盤面の図柄・模様と関連の有る図柄・模様を描いた半透明シートで、遊技盤面の図柄・模様も見られるようにした透明図柄シート部材を設け、これを前記２枚のガラス板の間に介装して遊技盤遊技領域の図柄意匠に変化を持たせる発明がなされている。
上記従来技術は、中央部ガラス板越しに注視する遊技領域の図柄意匠に変化を持たせ遊技者を飽きさせないようにねらったものであるが、パチンコ機前面の遊技盤周囲を形成する前面扉の装飾性に関するものではない。
【０００４】
また従来から遊技場ホール内パチンコ機設置島のパチンコ機上部に、或いは遊技者の椅子裏面に電光表示器を備えた発明がなされているがパチンコ機自体について設置されたものではない。特にパチンコ機の前面を形成する前面扉で遊技者が視認し易いしやすい位置に電光表示器を設け、各種情報を遊技者に伝達するとともに、遊技者自身で情報を選択できるようにし、ゲームの興趣を高め、また初心でも安心してパチンコゲームが行なえるようにしたものはない。
【０００５】
パチンコ機の前面扉の関して、前面扉の前面部品即ち窓枠体については、アクリル等の合成樹脂を射出成形で形成し、パチンコ機の前面でパチンコ機正面に当たるため、遊技盤の図柄に関連した図柄意匠ないし配色が施されている。このパチンコ機正面の図柄意匠について、パチンコ機の特徴となる図柄を描いた糊付シートを前面扉の前面に貼り付けたり、また前記前面扉、即ち窓枠体を射出成形する樹脂自体にカラー樹脂を用いて成形したり、或いは窓枠体の前面又は裏面に特殊塗装を施してパチンコ機の前面から見えるようにし、前面扉の意匠を演出している。
【０００６】
本願出願の先行技術としては次のものがある。
【特許文献１】特開２００１−１７０３１７
【特許文献２】特開平８−２５７２０６
【特許文献３】特開２０００−１５７７１０
【特許文献４】特開平１１−１９３０７号公報
【発明の開示】
【発明が解決しようとする課題】
【０００７】
この場合、前面に塗装する方法は使用中に塗装が剥がれると醜くくなり、また多色印刷したポリカーボネイト樹脂製シートを金型に装着して射出成形する方法は、作業者が成形機に就いていなければならず、自動成形ができないので手間がかかり、困難な作業であった。このため窓枠体を透明樹脂で設け、この窓枠体の裏面にカラー塗装を施し、前面から裏面の塗装面が視認出来るようにしている。
【０００８】
しかし合成樹脂成形品にカラー塗装を施すのは非常に困難で、密着性を向上させるために塗装裏面に梨地加工等を施すと前面側からの見栄えが悪くなり、非常に困難な作業であった。また装飾意匠性を考慮した図柄模様に塗装するのは実質不可能で、また多色の塗装も不可能で、通常単色カラー塗装しか行なうのが困難な状態であった。さらに一旦カラー塗装処理した窓枠体について配色を変えるのは品質上の問題から不可能で、リサイクルが困難であった。
更にまた遊技者にとって常時同じ配色のパチンコ機前面を見ているのは飽きが生じ、ゲームの興趣において問題があった。
【０００９】
本発明はこのような従来技術の問題点を解消するパチンコ機を提供するものであって、その目的は、パチンコ機の装飾意匠性を格段に向上し、遊技者等に対してゲームのアピール性を高め、更にパチンコ機ゲームの解説や遊技者の選択による各種情報を切換え釦で選択することが出来、遊技者に飽きさせず、また初心者であってもゲームの補助が行なわれて安心してパチンコゲームを楽しめるパチンコ機を提供する。
【課題を解決するための手段】
【００１０】
本発明の請求項１の発明は、  パチンコ機遊技盤の前面に中央部はガラス板を通して遊技盤を見る窓に設け、該窓の周囲はパチンコ機の前面を形成する開閉可能な前面扉を持つパチンコ機において、
前記パチンコ機の前面扉に電光表示器を設け、遊技情報等の各種情報を遊技者に伝達表示することを特徴とするパチンコ機。
【００１１】
本発明は上記の構成であって、パチンコ機の前面扉に電光表示器が設けられている。電光表示器は遊技者に対するアピールやゲーム内容説明、ゲームの進行状況、その他遊技者が好みの各種情報を選択できるようにしており、遊技者に対する補助を行なうと同時に飽きがこないように表示できるものである。更に店舗側からの緊急情報伝達手段としても可能で、通常この表示器は文字情報で行い、必要に応じて画像や動画なども表示可能である。
【００１２】
本発明の請求項２の発明は、前記前面扉の前面に外側から内側が透けて見える樹脂材料で形成した窓枠体を設け、該窓枠体の裏面に電光表示器を装着したことを特徴とするパチンコ機である。
【００１３】
即ち、前面扉前面の窓枠体はクリアな無色透明な樹脂材料で形成することができ、また窓枠体の成形材料に各種カラーが入った透けて見える樹脂材料で形成することもでき、前面扉の前面を形成する窓枠体の裏面に電光表示器が装着されており、前面扉の前面から透明な窓枠体を介して内部に装着した電光表示器が見える。電光表示器は前面の窓枠体で保護され、電光表示器の表示面が安全に保護される。
【００１４】
本発明の請求項３の発明は、前記パチンコ機に前記電光表示器の表示情報を切り替える押し釦を設け、遊技者の押し釦操作によって電光表示器の表示情報が選択できるようにしたことを特徴とするパチンコ機である。
【００１５】
例えばパチンコ機前面に電光表示器の表示情報のチャンネル切換え用押し釦を設けてあるので、遊技者が自分で好みの情報を入手することができる。即ちパチンコ遊技者が初心者の場合は、ゲーム案内や遊び方基本ガイドなどが電光表示器にメッセージとして流れ、また熟達者においてはゲームの進行状況、即ちリーチが近いだとか、大当たりが近いだとかもメッセージとして知らせるようにしてある。更にチャンネル切換えによってスポーツニュースや天気予報、店舗案内や景品案内その他、一般広告などの情報が表示されるチャンネルも設けられ、遊技者の好みに応じた押し釦操作によるチャンネル切換えで、各種情報が選択して入手できるようになっている。
【００１６】
本発明の請求項４の発明は、前記前面扉の前面に外側から内側が透けて見える樹脂材料の窓枠体を形成し、該窓枠体の裏面に電光表示器を装着すると共に、該窓枠体の裏面に図柄意匠を描いた図柄意匠シートを装着し、前面扉の前面から前記窓枠体裏面の電光表示器と図柄意匠シートが視認可能に設けたことを特徴とするパチンコ機である。
【００１７】
窓枠体はポリカーボネイトやアクリルなど、いわゆる透けて見える樹脂材料で形成されており、この透明な窓枠体の裏面に図柄意匠シートが装着されている。従って窓枠体の前面即ち前面扉の前面から意匠シートの図柄意匠を容易に視認できる。この図柄意匠シートは例えば印刷容易な紙でも可能で、細かい各種カラーで表示されたキャラクターや、また写真画像なども自由に前面扉の前面に表示させる事ができる。更にこの前面扉の図柄意匠表示は、窓枠体裏面の意匠シートを交換するだけで、所望の図柄意匠の前面扉に形成できるため、従来のように異なる図柄意匠の別の前面扉と交換する必要がなく、容易にイメージの異なった遊技者に新鮮な感じを与えるパチンコ機が設けられる。
また上記の図柄意匠シートと共に電光表示器が設けられて、遊技者に対するアピールやゲーム内容説明、ゲームの進行状況、その他遊技者が好みの各種情報を選択できるようにしており、遊技者に対する補助を行なうと同時に飽きがこない表示ができる。
【発明の効果】
【００１８】
本発明は、パチンコ機の前面に電光表示器が設けられており遊技者に対して各種の情報を伝達する。遊技者はゲーム内容案内やゲームの進行状況その他遊技者自身の選択で好みの各種情報例えば各種ニュースや天気予報、景品案内、CM等を遊技者自身の選択で入手できる。このため、特に遊技者に対するパチンコ遊技の補助ガイドが行なえ、遊技者が安心してゲームが行なえる。同時に大当たり情報なども入手できるので興趣が得られて飽きがこないように表示できる。更に店舗側からの遊技者に対する緊急情報伝達手段としても表示可能で、応用範囲が広いものである。この電光表示器は必要に応じて画像や動画なども表示可能で、遊技者にとって大きな興趣が得られる。
【００１９】
また前記前面扉の前面に外側から内側が透けて見える樹脂材料の窓枠体を形成し、該窓枠体の裏面に電光表示器をと共に図柄意匠を描いた図柄意匠シートを装着し、前面扉の前面から前記窓枠体裏面の電光表示器と図柄意匠シートが視認可能に設けることにより、前面扉の前面から電光表示器と共に、意匠シートの図柄意匠を容易に視認できる。このため前記電光表示器の効果とあわせて、この図柄意匠シートは例えば印刷容易な紙でも可能で、細かい各種カラーで表示されたキャラクターや、また写真画像なども自由に前面扉の前面に表示させる事ができる。更にこの前面扉の図柄意匠表示は、窓枠体裏面の意匠シートを交換するだけで、所望の図柄意匠の前面扉に形成できるため、従来のように異なる図柄意匠の別の前面扉と交換する必要がなく、容易にイメージの異なった遊技者に新鮮な感じを与えるパチンコ機が設けられる。
【発明を実施するための最良の形態】
【００２０】
本発明の最良の形態は、前面扉を持つパチンコ機において、パチンコ機の前面扉に電光表示器を設け、各種の情報を表示すると共に、電光表示による装飾性効果及び各種情報伝達を持たせた。また前面扉の前面を形成する窓枠体を外側から内側が透けて見える樹脂材料で形成し、この窓枠体の裏面に電光表示器を設け、更に図柄意匠シートを設けた。
図柄意匠シートの裏面にガラス板を保持するガラス枠体を設けてあり、また電光表示器を設けて前面扉とした。
この電光表示器の情報チャンネルを切り替える押し釦をパチンコ機本体に設け、この押し釦の操作手段によって電光表示器の各種情報が遊技者自身の手で選択できるようにした。尚押し釦に代えて各種のスイッチが用いられることは当然である。
【実施例１】
【００２１】
以下、本発明の実施形態につき、図面に基づいて説明する。
図１は、パチンコ機１の全体を示す斜視図であって、図２は前面扉１０の一例を示す正面図、図３は図２のａ−ａ断面図である。
パチンコ機１には、木製の外枠２があり、外枠２の左上に連結部３があり、左下に本体枠連結金具１６があり、中枠５が左上連結部３に、また左下の本体枠連結金具１６に枢着され、外枠２の左側縁に対して片開き自在に設けられている。中枠５に略四角形状の遊技盤（図示せず）やパチンコ機の内部機構（図示せず）が支持装着されている。
【００２２】
さらに、中枠５の前面であって、遊技盤７の前面には略円形状の窓６を有す前面扉１０が左側の連結部３と連結金具４を軸に開閉自在に設けられている。前面扉１０の開口部後方に、遊技盤７及び遊技盤の遊技領域８がある。前面扉１０の下部には供給皿１２を備えた上受け皿１１が、また上受け皿１１の下部には貯留皿１４と灰皿１５を備えた下受け皿１３が、左側の各連結金具に支持されて開閉自在に取り付けられている。外枠２の左側端に設けられているのはプリペイドカードユニット９である。
【００２３】
前面扉１０は図４にその一実施例を斜視図で示し、一体成形されたポリカーボネイトのクリア透明樹脂で形成された窓枠体２１と、窓枠体２１の裏面に装着した図柄意匠シート３１と、該図柄意匠シート３１の裏面で窓枠体２１と一体に組付けたガラス枠体４１と、ガラス枠体４１に組み付けた電光表示器５１とからなる。
図１〜図４において、前面扉１０、即ち窓枠体２１の前面上部に透明のランプ飾り２２が突出して設けてあり、このランプ飾り２２の両側に凸レンズで卵形状の飾り窓２３、２３が、また前面下部両側に円形の表示窓２４、２４を設けてある。上記の各ランプ飾り２２、飾り窓２３、表示窓２４には、それらの各後部にLEDランプや表示シールが装着されており、遊技状態の変化に応じて各窓のランプが点滅し、各窓２２、２３、２４の表示状態に応じて遊技者にゲームの進行状態を知らせるようになっている。
【００２４】
図４において、窓枠体２１の後面に、図柄意匠シート３１が上記各ランプ飾り２２、飾り窓２３、表示窓２４部分を除いて装着されている。図柄意匠シート３１は、表示側にパチンコ遊技機１の名称や遊技盤面の図柄・模様と関連する図柄・模様が描かれており、従来は単色でしか表現できない前面枠１０がパチンコ機１の名称や遊技盤面の図柄・模様とも関連して、全体がマッチングするようにカラーの図柄意匠が表側に記載され、表示される。
この図柄意匠シート３１は、印刷が容易で不透明な紙、樹脂、布製シート等が用いられる。不透明な紙や樹脂シートに印刷した場合、大量に安価に容易に図柄意匠３２を設けることがが可能で、また図柄の変更も容易である。
更に図柄に夜光塗料などの特殊インキを用いることも可能で、照明によってカラーが変化する様に設ける事も可能である。また印刷が施されてなく、例えば各種無地の布及び模様や柄が織り込まれた布、また自然の木の葉や花びら等も意匠シート３１として表示できる。
【００２５】
なお、図柄意匠シート３１は１枚でなく、例えば右半分と左半分のシートを組み合わせても良く、更にキャラクターなどの図柄を部分的に適宜位置に挟みこむことも可能で、図柄意匠シートがいっそう容易に効果的に設けることができる。
上記の図柄意匠シート３１のランプ飾り２２、飾り窓２３、表示窓２４部分はくり貫かれており、この部分はランプ表示にが行なわれるようにしてある。
この図柄意匠シート３１は、例えば意匠シート押さえ３３を用いて窓枠体２１の裏面に固定してもよく、また窓枠体２１に固定するガラス枠体４１によって狭着し保持してもよい。また窓枠体２１にシート保持用の小突起を四隅に突出させ、この小突起で図柄意匠シート３１を係止し保持するようにしても良い。
【００２６】
一体成形されたポリカーボネイトのクリア透明樹脂で形成された窓枠体２１と、窓枠体２１の裏面に装着した図柄意匠シート３１と、該図柄意匠シート３１の裏面を保持するように組付けたガラス枠体４１と、ガラス枠体４１に組み付けた電光表示器５１とからなる前面扉１０は、全体がパチンコ機の上半分程度の大きさで、ほぼ正方形状に形成されている。
【００２７】
電光表示器５１は、窓枠体２１の左側に縦長状電光表示器５１a、また上方に横長状電光表示器５１ｂで、遊技者方向を向いて装着されている。即ち上方の横長状電光表示器５１ｂは、図３に示すように遊技者に対して正面に向くよう、斜め１０〜３０度下方を向いて装着される。
また図１で示すように左側下方に表示情報切り替え押し釦３２を設けてあり、電光表示器５１ａまたは５１ｂには、遊技者に対するお店のアピールやゲーム内容説明、ゲームの進行状況、その他遊技者が押し釦３２を操作することによって各種情報が選択して入手できるニュース等の情報が表示できる。この電光表示器５１による遊技者への伝達表示によって、遊技者に対するゲームのマニュアルや手助け補助を行なうと同時に、飽きがこないように、また更に店舗側からの緊急情報伝達手段としても可能である。
この電光表示器５１は文字情報でもよく、画像や動画なども表示可能で、これまでにない伝達手段として、またパチンコ機の装飾性として、遊技者の興趣が大きく得られるものである。
【００２８】
パチンコ機前面の電光表示器情報切換え押し釦３２によって、遊技者が好みの情報を入手することができ、パチンコゲームの案内や遊び方の基本ガイド、その他ゲームの進行状況が表示され、即ちリーチが近いだとか大当たりが近い等の進行状況メッセージも表示することができ、スポーツニュースや天気予報、店舗案内や景品案内その他、一般広告などの情報チャンネルも設けてあり、遊技者の好みに応じて押し釦３２による情報切換え操作で遊技者自身が選択でき、各種情報が入手できる。
【００２９】
この電光表示器５１としては、従来から良く知られているLEDマトリックス制御で文字や模様を電光表示する電光表示器５１であっても良く、カラー液晶パネルであっても良く、またエレクトロルミネッセンス表示装置であっても良い。
またこの電光表示器は窓６の左側に設けてもよく、窓６の上側５１ｂに設けても良く、前面扉１０の前面に貼り付けても良く、前面扉１０の透明な窓枠体２１に電光表示器５１の装着部２２を前部に膨らませて設け、この装着部２２内に電光表示器５１を装着して設けても良い。
【００３０】
図４においてガラス枠体４１は窓枠体２１より一回り小さいほぼ正方形の枠であって窓枠体２１の窓６とほぼ同寸の円形開口部４０を備え、また裏面に遊技盤７を覆う２枚のほぼ正方形ガラス板を装着するガラス板挿入レール４２、４３が両側部と低部に設けられている。このガラス枠体４１は通常樹脂製で、窓枠体２１とビスや取り付け具で固定し又は窓枠体２１から突出す矢尻状の係止突起に嵌合し、窓枠体２１、前記電光表示器３１と一体に固定される。裏面のガラス板挿入レール４２,４３にはほぼ正方形のガラス板が２枚挿入され、前面扉１０として使用される。
【００３１】
図５はパチンコ機前面に表示する電光表示器５１の制御ブロック図を示し、パチンコ機前面には電光表示器５１と押し釦３２を設けてあり、遊技者がこの押し釦３２を押す度に表示器５１の表示チャンネル３３が順に切り替わる。例えば第１チャンネル３３１はパチンコ機ゲームのガイド解説が表示され、第２チャンネル３３２はゲーム中の進行状態や大当たり予測なども表示可能になっている。また第３チャンネル３３３はニュース関係、スポーツや社会一般他芸能などのニュース等、第４チャンネル３３４は店舗からの連絡情報やその他一般広告表示が行なわれるようになっている。
【００３２】
制御部３５で何れのチャンネル３３１〜３３４が選択されたかを判別し、選択されたチャンネルに対応する記憶部３６の内容を読み込んで電光表示器５１に電光表示する。第３、第４チャンネル３３３,３３４関係は入力手段３４を介して外部の情報源３７より情報が入力され、遊技者へのサービスが計られる。
このようにして遊技に対する案内や解説、ゲームの進行状況を遊技者に必要な情報を伝達表示し、初心者も安心してパチンコ遊技が行なえ、飽きることなく興趣をもってゲームを続けることが出来る。
【産業上の利用可能性】
【００３３】
特に前面扉を有すパチンコ機に最適なものである。
【図面の簡単な説明】
【００３４】
【図１】本発明の一実施例を示すパチンコ機の全体を示す斜視図である。
【図２】本発明の一実施例を示すパチンコ機の前面扉を示す正面図である。
【図３】図２のａ−ａ線断面図である。
【図４】本発明の一実施例を示す前面扉の電光表示器５１及び図柄意匠シート３１を組付け状態を示す斜視図である。
【図５】電光表示器５１を制御するブロック図である。
【符号の説明】
【００３５】
１  パチンコ機
２  外枠
３  連結部
４  連結金具
５  中枠
６  窓
７  遊技盤
８  遊技領域
９  プリペイドカードユニット
１０  前面扉
１１  上受け皿
１２  供給皿
１３  下受け皿
１４  貯留皿
１５  灰皿
１６  連結金具
２１  窓枠体
２２  表示器装着部
２３  飾り窓
２４  表示窓
３２  情報切換え釦
３３  情報チャンネル
３４  入力手段
３５  制御部
３６  記憶部
３７  情報会社
４１  ガラス枠体
４２、４３  ガラスレール
５１  電光表示器
５１a  縦長の電光表示器
５１ｂ  横長の電光表示器
【図１】
2005058444.tif 000003
【図２】
2005058444.tif 000004
【図３】
2005058444.tif 000005
【図４】
2005058444.tif 000006
【図５】
2005058444.tif 000007